(57)【要約】【課題】ＩＣカードを搭載した携帯電話機の盗難および紛失の防止を、ＩＣカードを搭載した携帯電話機に他の機器を搭載することなく手軽に実現する。【解決手段】非接触式のＩＣカードを搭載した携帯電話機１０と無線通信する携帯電話機検知装置２０であって、本発明に係る携帯電話機検知装置２０は、ＩＣカードから送信される応答信号を受信する応答受信部２０４と、ＩＣカードの個体を識別できる情報である対象情報２０２ａを記憶している対象記憶部２０２と、対象記憶部２０２が記憶している対象情報２０２ａを含む応答信号が応答受信部２０４により受信されたか否かを判定する判定部２１２とを備える。【選択図】図２
2007214697.tif 000002
【特許請求の範囲】
【請求項１】
非接触式のＩＣカードを搭載した携帯電話機と無線通信する携帯電話機検知装置であって、
前記ＩＣカードから送信される応答信号を受信する応答受信手段と、
前記ＩＣカードの個体を識別できる情報であるＩＤ情報を記憶している記憶手段と、
前記記憶手段が記憶している前記ＩＤ情報を含む前記応答信号が前記応答受信手段により受信されたか否かを判定する判定手段と、
前記判定手段による判定結果に応じた情報をユーザに通知する通知手段とを備える
ことを特徴とする携帯電話機検知装置。
【請求項２】
前記通知手段は、前記ＩＣカードとの通信状態または距離の程度をユーザに通知するものであり、
前記携帯電話機検知装置は、さらに、前記判定手段が、前記記憶手段が記憶している前記ＩＤ情報を含む前記応答信号が前記応答受信手段により受信されていないと判定した場合に、前記通知手段により、前記ＩＣカードとの通信状態または距離の程度をユーザに通知させる通知制御手段を備える
ことを特徴とする請求項１に記載の携帯電話機検知装置。
【請求項３】
前記記憶手段は、複数の前記ＩＣカードに関連するＩＤ情報を記憶し、
前記判定手段は、前記記憶手段が記憶している前記各ＩＤ情報について、前記記憶手段が記憶している前記ＩＤ情報を含む前記応答信号が前記応答受信手段により受信されたか否かを判定し、
前記通知制御手段は、前記判定手段が、前記記憶手段が記憶している前記各ＩＤ情報について、前記ＩＤ情報を含む前記応答信号が前記応答受信手段により受信されていないと判定した場合に、前記通知手段により前記各ＩＣカードとの通信状態または距離の程度をユーザに通知させる
ことを特徴とする請求項２に記載の携帯電話機検知装置。
【請求項４】
前記通知手段は、音、光、振動および画面表示のいずれか１つ、すべて、または複数の組み合わせにより、前記通知制御手段の制御に従って、前記ＩＣカードとの通信状態または距離の程度をユーザに通知する
ことを特徴とする請求項２または３に記載の携帯電話機検知装置。
【請求項５】
前記判定手段は、前記記憶手段が記憶している前記ＩＤ情報を含む前記応答信号が前記応答受信手段により受信されていないと判断し、その後に、前記記憶手段が記憶している前記ＩＤ情報を含む前記応答信号が前記応答受信手段により受信されたと判断した場合には、前記応答受信手段により受信された前記応答信号の強度を判定し、
前記通知制御手段は、前記判定手段により判定される前記応答受信手段により受信された前記応答信号の強度に応じて、前記通知手段によるユーザへの通知方法を変化させることで、前記通知手段により前記ＩＣカードとの通信状態または距離の程度をユーザに通知させる
ことを特徴とする請求項２から４のいずれか１項に記載の携帯電話機検知装置。
【請求項６】
前記通知制御手段は、前記判定手段が、前記応答受信手段により受信される前記応答信号の強度が予め定められた強さ以上であると判断した場合に、前記通知手段によるユーザへの通知を停止させる
ことを特徴とする請求項５に記載の携帯電話機検知装置。
【請求項７】
ＩＣカードを搭載した携帯電話機であって、
携帯電話機検知装置からの要求信号を受信する要求受信手段と、
決済サービスを提供する決済手段と、
前記要求受信手段が前記要求信号を受信していないと判断した場合に、前記決済手段が提供する前記決済サービスを停止させるカード制御手段とを備える
ことを特徴とする携帯電話機。
【請求項８】
前記カード制御手段は、前記決済手段が提供する前記決済サービスの停止中に前記要求受信手段が予め定められた強さより強い前記要求信号を受信したと判断した場合に、前記決済サービスの停止を解除させる
ことを特徴とする請求項７に記載の携帯電話機。
【請求項９】
携帯電話機に搭載された非接触式のＩＣカードから送信される応答信号を受信する応答受信ステップと、
前記ＩＣカードの個体を識別できる情報であるＩＤ情報を含む前記応答信号が前記応答受信ステップにおいて受信されたか否かを判定する判定ステップとを備える
ことを特徴とする携帯電話機検知方法。
【請求項１０】
ＩＣカードを搭載した携帯電話機における前記ＩＣカードを利用して提供されるサービスの制御方法であって、
携帯電話機検知装置からの要求信号を受信する要求受信ステップと、
決済サービスを提供する決済ステップと、
前記要求受信ステップにおいて前記要求信号を受信していないと判断した場合に、前記決済ステップが提供する前記決済サービスを停止させるカード制御ステップとを備える
ことを特徴とする制御方法。
【請求項１１】
携帯電話機に搭載された非接触式のＩＣカードから送信される信号を受信する受信ステップと、
前記ＩＣカードの個体を識別できる情報であるＩＤ情報を含む前記信号が前記受信ステップにおいて受信されたか否かを判定する判定ステップとをコンピュータに実行させる
ことを特徴とする携帯電話機検知プログラム。
【請求項１２】
ＩＣカードを搭載した携帯電話機における前記ＩＣカードを利用して提供されるサービスの制御プログラムであって、
携帯電話機検知装置からの要求信号を受信する要求受信ステップと、
決済サービスを提供する決済ステップと、
前記要求受信ステップにおいて前記要求信号を受信していないと判断した場合に、前記決済ステップが提供する前記決済サービスを停止させるカード制御ステップとをコンピュータに実行させる
ことを特徴とする制御プログラム。
【請求項１３】
非接触式のＩＣカードを搭載した携帯電話機と、前記携帯電話機と無線通信する携帯電話機検知装置とから構成される携帯電話機検知システムであって、
前記携帯電話機は、
前記携帯電話機検知装置からの要求信号を受信する要求受信手段と、
決済サービスを提供する決済手段と、
前記要求受信手段が前記要求信号を受信していないと判断した場合に、前記決済手段が提供する前記決済サービスを停止させるカード制御手段を備え、
前記携帯電話機検知装置は、
前記ＩＣカードから送信される応答信号を受信する応答受信手段と、
前記ＩＣカードの個体を識別できる情報であるＩＤ情報を記憶している記憶手段と、
前記記憶手段が記憶している前記ＩＤ情報を含む前記応答信号が前記応答受信手段により受信されたか否かを判定する判定手段とを備える
ことを特徴とする携帯電話機検知システム。
【発明の詳細な説明】
【技術分野】
【０００１】
本発明は、携帯電話機の置き忘れや盗難を検知する装置に関する。
【背景技術】
【０００２】
非接触式のＩＣ（Ｉｎｔｅｇｒａｔｅｄ  Ｃｉｒｃｕｉｔ）カードを搭載した携帯電話機により、ユーザはＩＣカードの非接触インターフェース機能を利用した様々サービスを受けることができる。これは、ユーザの利便性を向上させる一方で、盗難され、または紛失した携帯電話機を不正に利用されることによる、ユーザの経済的損害を大きくする危険や個人情報が漏洩する危険を増大させている。ユーザが大きな経済的損害を受ける一例として、携帯電話機を窃取した者によりＩＣカード機能を利用した決済サービスを悪用される場合がある。
【０００３】
従来、携帯電話機の置き忘れや盗難を防止する方法が提案されている（例えば、特許文献１）。特許文献１に記載の方法は、携帯電話機が発信器から送信される暗証番号を受信し、携帯電話機に予め設定されている暗証番号と受信した暗証番号とを比較することにより、正当な利用者が一定の範囲内にいるか否かを判断する。
【特許文献１】特開平７−８７５５９号公報
【発明の開示】
【発明が解決しようとする課題】
【０００４】
非接触式のＩＣカード機能を利用したサービスが多様になるに従って、ＩＣカードを搭載した携帯電話機の不正利用によるユーザの被害が拡大する危険が大きいため、ユーザが手軽に盗難または紛失を防止できる技術の提供は喫緊の課題である。
【０００５】
しかしながら、従来の盗難防止方法は、発信器から送信される暗証番号を受信する機器を新たに携帯電話機に搭載しなければならないという問題がある。一般のユーザがそのような受信器を携帯電話機に搭載させることは困難であり、従来の盗難防止方法を手軽に実現することができない。
【０００６】
本発明は、上記の問題を解決するためになされたもので、ＩＣカードを搭載した携帯電話機について、それに新たな機器を搭載させることなく盗難および紛失の防止を手軽に実現することが可能な携帯電話機検知装置の提供を目的とする。
【０００７】
ここで、「ＩＣカードを搭載した携帯電話機」とは、ＩＣカードそのものを搭載した携帯電話だけでなく、ＩＣチップおよびアンテナを内蔵することにより非接触式のＩＣカード機能を搭載した携帯電話機をも含む。
【課題を解決するための手段】
【０００８】
上記目的を達成するために、本発明に係る携帯電話機検知装置は、非接触式のＩＣカードを搭載した携帯電話機と無線通信する携帯電話機検知装置であって、前記ＩＣカードから送信される応答信号を受信する応答受信手段と、前記ＩＣカードの個体を識別できる情報であるＩＤ情報を記憶している記憶手段と、前記記憶手段が記憶している前記ＩＤ情報を含む前記応答信号が前記応答受信手段により受信されたか否かを判定する判定手段と、前記判定手段による判定結果に応じた情報をユーザに通知する通知手段とを備える。
【０００９】
このように本発明に係る携帯電話検知装置は、携帯電話機に搭載されているＩＣカードから送信される、当該ＩＣカードに固有の情報を含む電波を受信したか否かを判定し、電波を受信できない場合にそれをユーザに通知する。これにより、ユーザが携帯電話機の置忘れや盗難に気付くことができ、携帯電話機の置き忘れ等による紛失防止および盗難防止を実現することが可能となる。
【００１０】
また、携帯電話機に新たな機器を搭載する必要がないため、ユーザは携帯電話機の紛失防止および盗難防止を手軽に実現することが可能となる。
【００１１】
好ましくは、前記通知手段は、前記ＩＣカードとの通信状態または距離の程度をユーザに通知するものであり、前記携帯電話機検知装置は、さらに、前記判定手段が、前記記憶手段が記憶している前記ＩＤ情報を含む前記応答信号が前記応答受信手段により受信されていないと判定した場合に、前記通知手段により、前記ＩＣカードとの通信状態または距離の程度をユーザに通知させる通知制御手段を備える。
【００１２】
また、前記通知手段は、音、光、振動および画面表示のいずれか１つまたは複数の組み合わせにより、前記通知制御手段の制御に従って、前記ＩＣカードとの通信状態または距離の程度をユーザに通知する。
【００１３】
このような通知をすることにより、携帯電話機検知装置のユーザは携帯電話機の置き忘れや盗難に気付くことができる。そのため、携帯電話機を置き忘れまたは盗難された場合であっても、ユーザは直ちに適切な措置を講じることができ、不正利用による被害を抑えることが可能となる。
【００１４】
さらに好ましくは、前記記憶手段は、複数の前記ＩＣカードに関連するＩＤ情報を記憶し、前記判定手段は、前記記憶手段が記憶している前記各ＩＤ情報について、前記記憶手段が記憶している前記ＩＤ情報を含む前記応答信号が前記応答受信手段により受信されたか否かを判定し、前記通知制御手段は、前記判定手段が、前記記憶手段が記憶している前記各ＩＤ情報について、前記ＩＤ情報を含む前記応答信号が前記応答受信手段により受信されていないと判定した場合に、前記通知手段により前記各ＩＣカードとの通信状態または距離の程度をユーザに通知させる。
【００１５】
これにより、複数の携帯電話機を携帯するユーザであっても、１台の携帯電話機検知装置を携帯するだけで、各携帯電話機の置き忘れや盗難の防止を図ることが可能となる。
【００１６】
さらに好ましくは、前記判定手段は、前記記憶手段が記憶している前記ＩＤ情報を含む前記応答信号が前記応答受信手段により受信されていないと判断し、その後に、前記記憶手段が記憶している前記ＩＤ情報を含む前記応答信号が前記応答受信手段により受信されたと判断した場合には、前記応答受信手段により受信された前記応答信号の強度を判定し、前記通知制御手段は、前記判定手段により判定される前記応答受信手段により受信された前記応答信号の強度に応じて、前記通知手段によるユーザへの通知方法を変化させることで、前記通知手段により前記ＩＣカードとの通信状態または距離の程度をユーザに通知させる。
【００１７】
このような通知手段を備えることにより、ユーザの発見を助けることが可能になる。
さらに好ましくは、前記通知制御手段は、前記判定手段が、前記応答受信手段により受信される前記応答信号の強度が予め定めた強さ以上であると判断した場合に、前記通知手段によるユーザへの通知を停止させる。
【００１８】
これにより、携帯電話機検知装置を発見したユーザは、通知を停止させるために煩わしい操作をする必要がなく、ユーザの利便性が向上する。
【００１９】
さらに好ましくは、ＩＣカードを搭載した携帯電話機であって、携帯電話機検知装置からの要求信号を受信する要求受信手段と、決済サービスを提供する決済手段と、前記要求受信手段が前記要求信号を受信していないと判断した場合に、前記決済手段が提供する前記決済サービスを停止させるカード制御手段とを備える。
【００２０】
このように、携帯電話機は、携帯電話機検知装置からの信号の受信状態によって置き忘れや盗難を検知し、ＩＣカードが有する機能を停止させるため、置き忘れまたは盗難された場合であっても不正に利用されることによる被害を抑えることが可能となる。
【００２１】
さらに好ましくは、前記カード制御手段は、前記決済手段が提供する前記決済サービスの停止中に前記要求受信手段が予め定められた強さより強い前記要求信号を受信したと判断した場合に、前記決済サービスの停止を解除させる。
【００２２】
このように、ユーザが発見すると、携帯電話機が停止していたＩＣカードが有する機能の停止を自動的に解除するため、携帯電話機検知装置を発見したユーザは煩わしい操作をする必要がなくなり、ユーザの利便性が向上する。
【００２３】
なお、本発明は、このような特徴的な手段を備える携帯電話機検知装置として実現することができるだけでなく、携帯電話機検知装置に含まれる特徴的な手段をステップとする携帯電話機検知方法として実現できる。
【００２４】
また、本発明は、携帯電話機検知装置に含まれる特徴的な手段をステップとするプログラムをコンピュータに実行させることにより実現することもできる。そのようなプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）等の記録媒体やインターネット等の通信ネットワークを介して流通させることができる。
【００２５】
さらに、本発明は、このような特徴的な手段を備える携帯電話機検知装置と携帯電話機とにより構成される携帯電話機検知システムとして実現することもできる。
【発明の効果】
【００２６】
本発明によると、ＩＣカードを搭載した携帯電話機の置き忘れ等による紛失防止および盗難防止を手軽に実現することが可能となる。また、ユーザは携帯電話機の紛失や盗難に早く気付くことができる等、万一紛失しまたは盗難された場合であっても不正に利用されることによる被害を抑えることが可能となる。
【発明を実施するための最良の形態】
【００２７】
以下に、図面を参照しながら、本発明に係る携帯電話機検知装置（以下、「検知装置」という。）の実施の形態について説明する。
【００２８】
図１は、本実施の形態に係る携帯電話機検知システムの外観を示す図である。本実施の形態にかかる携帯電話機検知システムは、携帯電話機１０と検知装置２０とにより構成され、ユーザは携帯電話機１０とともに検知装置２０を携帯する。
【００２９】
携帯電話機１０は、非接触式のＩＣカードを搭載した携帯電話機である。ユーザは、携帯電話機１０を利用して、他の携帯電話機との音声および文字による通信サービスの他、ＩＣカードにより提供される各種サービスを受けることができる。
【００３０】
検知装置２０は、ユーザが携帯電話機１０を置き忘れることや、ユーザの携帯電話機１０が盗まれたことを検知し、それをユーザに通知する装置である。
【００３１】
検知装置２０は、電源のＯＮとＯＦＦとを切り替える電源ボタン２２と、検知装置２０の設定をリセットするリセットボタン２４と、携帯電話機１０との通信状態や携帯電話機１０の置き忘れや盗難をユーザに通知するための部位２６、２８、３０および３２とを備える。
【００３２】
本実施の形態において、携帯電話機１０との通信状態や携帯電話機１０の置き忘れや盗難をユーザに通知するための部位は、ＬＥＤ（Ｌｉｇｈｔ  Ｅｍｉｔｔｉｎｇ  Ｄｉｏｄｅ）２６と、ＬＣＤ（Ｌｉｑｕｉｄ  Ｃｒｙｓｔａｌ  Ｄｉｓｐｌａｙ）２８と、スピーカ３０と、振動子３２とである。
【００３３】
図２は、本実施の形態に係る携帯電話機１０および検知装置２０の機能的構成を示す図である。ユーザが電源ボタン２２を押下することにより検知装置２０の電源がＯＮにされると、検知装置２０は、携帯電話機１０との間で電波を送受信することによって、携帯電話機１０の置忘れや盗難を検知する。
【００３４】
まず、携帯電話機１０は、決済サービスを提供する機能を有するＩＣチップ１０２と、ＩＣチップに接続されたアンテナ１０３と、他の携帯電話機との間で音声情報や文字情報等を通信する機能を有する電話機通信部１０４と、ＩＣチップ１０２および電話機通信部１０４を制御する電話機制御部１０６とを備える。
【００３５】
ＩＣチップ１０２は、ＩＤ（Ｉｄｅｎｔｉｆｉｃａｔｉｏｎ）記憶部１０８と、要求受信部１１０と、応答送信部１１２と、決済部１１４と、チップ制御部１１６とを備える。ＩＣチップ１０２と、ＩＣチップ１０２に接続されたアンテナ１０３とにより、ＩＣカード機能が実現される。以下、ＩＣチップ１０２およびアンテナ１０３を総称して、「ＩＣカード」という。
【００３６】
ＩＤ記憶部１０８は、ＩＣチップ１０２の個体を識別できる情報であるＩＤ情報を記憶している記憶部である。
【００３７】
図３は、ＩＤ記憶部１０８が記憶しているＩＤ情報１０８ａの例を示す図である。本実施の形態に係るＩＣチップ１０２のＩＤ情報１０８ａは、「ａａ００１」であるとする。
【００３８】
要求受信部１１０は、アンテナ１０３を介して検知装置２０から送信された要求信号を受信する部位である。
【００３９】
「要求信号」とは、検知装置２０が送信する電波であり、携帯電話機１０に返信を要求する信号である。
【００４０】
応答送信部１１２は、アンテナ１０３を介して応答信号を送信する部位である。
「応答信号」とは、携帯電話機に搭載されたＩＣカードから送信される電波であり、携帯電話機を特定できる情報、例えば、携帯電話機に搭載されたＩＣチップのＩＤ情報、を含む。
【００４１】
決済部１１４は、決済サービスを提供するための処理部である。決済サービスには、例えば、クレジット決済サービスや電子マネーによる決済サービス等がある。
【００４２】
チップ制御部１１６は、ＩＣチップ１０２が有する各部を制御する部位であり、本実施の形態では、ＩＤ記憶部１０８と、要求受信部１１０と、応答送信部１１２と、決済部１１４とを制御する。
【００４３】
チップ制御部１１６は、要求受信部１１０が要求信号を受信したことを受けて、ＩＤ記憶部１０８が記憶しているＩＤ情報１０８ａを読み出し、そのＩＤ情報１０８ａを含む応答信号を応答送信部１１２に送信させる。
【００４４】
また、チップ制御部１１６は、携帯電話機１０の置き忘れや盗難を検知すると、決済部の機能を停止させる。これにより、携帯電話機１０を拾得し、または盗んだ者により決済サービスが不当に利用されることを防止できる。
【００４５】
次に、検知装置２０は、対象記憶部２０２と、応答受信部２０４と、要求送信部２０６と、通知制御部２０８と、通知部２１０と、判定部２１２とを備える。
【００４６】
対象記憶部２０２は、置き忘れや盗難の検知の対象となる携帯電話機１０に搭載されたＩＣチップ１０２のＩＤ情報１０８ａを記憶している部位であり、例えば、不揮発メモリ等により実現される。
【００４７】
ユーザがリセットボタン２４を押下することにより、対象記憶部２０２の保持内容は消去される。これによって、携帯電話機１０の故障や買い替えなどにより、ＩＣチップ１０２のＩＤ情報１０８ａに変更が生じた場合に、検知対象となる携帯電話機１０を変更することが可能となる。
【００４８】
図４は、対象記憶部２０２が記憶している対象情報２０２ａの例を示す図である。本実施の形態における対象情報２０２ａは、携帯電話機１０に搭載されたＩＣカードのＩＤ情報と同一である「ａａ００１」を内容とする。
【００４９】
応答受信部２０４は、ＩＣカードからの応答信号を受信する部位であり、例えば、アンテナにより実現される。
【００５０】
要求送信部２０６は、後述する判定部２１２からの出力に従って、要求信号を送信する部位である。
【００５１】
通知制御部２０８は、後述する判定部２１２からの出力に従って、通知部２１０を制御する部位である。
【００５２】
通知部２１０は、通知制御部２１０の制御に従って、ユーザに通知する部位であり、例えば、ＬＥＤ２６、ＬＣＤ２８、スピーカ３０および振動子３２等により実現される。なお、通知部２１２は、これらのいずれか１つまたは任意の組み合わせでも、またこれらの全てでも構わない。
【００５３】
判定部２１２は、自身が判断した結果に従って、対象記憶部２０２に対象情報２０２ａを格納し、要求送信部２０６に指示を出力し、または通知制御部２０８に指示を出力することを決定する処理部である。
【００５４】
判定部２１２が判断する内容には、（１）対象記憶部２０８に対象情報２０２ａが格納されているか否か、（２）応答受信部２０４が応答信号を受信したか否か、（３）応答信号に含まれるＩＤ情報と対象情報２０２ａとが一致するか否か、および（４）応答信号の強さがある。
【００５５】
図５は、本実施の形態に係る携帯電話機１０および検知装置２０が実行する処理のフローチャートである。
【００５６】
検知装置２０は、ユーザにより電源がＯＮにされると、対象記憶部２０２に対象情報２０２ａが格納されているか否かを判断する（Ｓ１）。
【００５７】
対象記憶部２０２に対象情報２０２ａが格納されていないと判断した場合（Ｓ１でＮｏ）、検知装置２０は初期設定を実行する（Ｓ２）。また、対象記憶部２０２に対象情報２０２ａが格納されていると判断した場合（Ｓ１でＹｅｓ）、検知装置２０は要求信号および応答信号の送受信を実行する（Ｓ３）。
【００５８】
図６は、本実施の携帯に係る携帯電話機１０および検知装置２０が実行する初期設定処理（Ｓ２）のタイムチャートである。
【００５９】
まず、検知装置２０は携帯電話機１０に設定要求６０１を送信する。設定要求６０１は、要求信号の１つである。
【００６０】
次に、設定要求を受信した携帯電話機１０は、ＩＤ記憶部１０８が記憶しているＩＤ情報１０８ａを含む応答信号６０２を送信する。続けて、検知装置２０は、受信したＩＤ情報１０８ａを対象記憶部２０２に格納する。
【００６１】
検知装置２０と携帯電話機１０とのそれぞれにおける初期設定処理（Ｓ２）の詳細を、図７と図８とを参照して、以下に説明する。
【００６２】
図７は、本実施の形態に係る検知装置２０が初期設定（Ｓ２）において実行する処理の詳細を示すフローチャートである。
【００６３】
要求送信部２０６は、対象記憶部２０２に対象情報２０２ａが格納されていないと判定した判定部２１２から、設定要求６０１の送信指示受けて、設定要求６０１を送信する（Ｓ１１）。
【００６４】
判定部２０６は、ＩＤ情報を含む応答信号６０２を要求受信部２０４が受信したか否かを判定する（Ｓ１２）。ＩＤ情報を含む応答信号６０２を受信していないと判定した場合（Ｓ１２でＮｏ）、判定部２１２は設定要求６０１の送信指示の出力（Ｓ１１）に戻る。
【００６５】
ＩＤ情報を含む応答信号６０２を受信したと判定した場合（Ｓ１２でＹｅｓ）、判定部２１２はそのＩＤ情報を対照記憶部２０２に対象情報２０２ａとして格納し（Ｓ１３）、処理を終了する。
【００６６】
このとき、検知装置２０の近くにある他の携帯電話機からの信号に含まれるＩＤ情報を誤って設定することを防止するため、ユーザが携帯電話機１０を検知装置２０に接触させた際に得られる強さ、ないし数センチの距離、例えば、５センチや１０センチにユーザが携帯電話機１０を検知装置２０に近づけた際に得られる強さ、ないし数センチの距離を受信したときに、格納処理（Ｓ１３）を行うことにしてもよい。
【００６７】
この場合、判定部２１２は、携帯電話機１０と検知装置２０とが接触した状態ないし数センチの距離にある状態において受信する応答信号６０２の強さを「設定閾値」として保持する。そして、判定部２１２は、受信した応答信号６０２の強さが設定閾値以上である場合に当該応答信号６０２に含まれるＩＤ情報を格納する（Ｓ１３）。
【００６８】
図８は、本実施の形態に係る携帯電話機１０が初期設定（Ｓ２）において実行する処理の詳細を示すフローチャートである。
【００６９】
チップ制御部１１６は、要求受信部１１０が設定要求６０１を受信したか否かを判断する（Ｓ２１）。設定要求６０１を受信していないと判断した場合（Ｓ２１でＮｏ）、チップ制御部１１６は、要求受信部１１９が設定要求６０１を受信したか否かの判断（Ｓ２１）を継続する。
【００７０】
設定要求６０１を受信したと判断した場合（Ｓ２１でＹｅｓ）、応答送信部１１２はチップ制御部１１６の指示を受けて、ＩＤ記憶部１０８からＩＤ情報１０８ａを読み出し、そのＩＤ情報１０８ａを含む応答信号６０２を送信し（Ｓ２２）、処理を終了する。
【００７１】
以上により、初期設定が行われる。本実施の形態に係る検知装置２０を利用するユーザは、初期設定において、ＩＤ情報１０８ａを手入力する等の面倒な操作をする必要がない。
【００７２】
図９は、本実施の形態に係る検知装置２０が送受信Ｓ３において実行する処理の詳細を示すフローチャートである。
【００７３】
要求送信部２０６は、応答要求を送信する（Ｓ３１）。
判定部２１２は、応答受信部２０４により応答信号が受信されたか否かを判断する（Ｓ３２）。応答信号が受信されたと判断した場合（Ｓ３２でＹｅｓ）、判定部２１２は、さらに、その応答信号に含まれるＩＤ情報と対象情報２０２ａとが一致するか否かを判断する（Ｓ３３）。ＩＤ情報と対象情報２０２ａとが一致すると判断した場合（Ｓ３３でＹｅｓ）、要求送信部２０６は、判定部２１２の判断を受けて、応答要求を送信する（Ｓ３１）。
【００７４】
以上が、携帯電話機１０の置き忘れや盗難がない場合の処理である。
応答信号が受信されないと判断した場合（Ｓ３２でＮｏ）およびＩＤ情報と対象情報２０２ａとが一致しないと判断した場合（Ｓ３３でＮｏ）、判定部２１２は通知制御部２０８を介して通知部２１０によるユーザへ通知を開始させる（Ｓ３４）。
【００７５】
以上が、検知装置２０による置き忘れや盗難の検知に係る処理である。検知装置２０は、置き忘れや盗難があると、ユーザが携帯する検知装置２０と携帯電話機１０との距離が離れ、検知装置２０は携帯電話機１０からの応答信号を受信できなくなることを利用して、置き忘れや盗難を検知する。
【００７６】
ここで、図１０を参照して通知時の検知装置２０の動作およびＬＣＤ２８上の表示の例について説明する。
【００７７】
図１０は、携帯電話機１０の置き忘れや盗難を検知した場合の、検知装置２０の動作およびＬＣＤ２８上の表示の例を示す図である。ＬＣＤ２８には、「携帯電話（ａａ００１）を検知できません。」と表示される。また、ＬＣＤ２６が発光し、スピーカ３０が鳴動し、振動子３２が振動する。
【００７８】
このように、携帯電話機１０の置き忘れや盗難を検知した検知装置２０が、それをユーザに通知することにより、ユーザは置き忘れや盗難に早く気づくことができる。置き忘れや盗難に早く気づくことは携帯電話機１０の発見を容易にする。
【００７９】
また、発見できない場合には速やかに、ＩＣカードによる提供される各種サービスをユーザが停止するなどの手立てを講じることができるため、ユーザは被害を小さく抑えられる。
【００８０】
ここから、図９の説明に戻る。
通知部２１０が置き忘れや盗難を検知したことをユーザに通知する上記の処理（Ｓ３４）を実行した後、要求送信部２０６は応答要求を送信する（Ｓ３５）。続けて、判定部２１２は応答受信部２０４が応答信号を受信したか否かを判断する（Ｓ３６）。
【００８１】
応答信号を受信したと判断した場合（Ｓ３６でＹｅｓ）、判定部２１２は、さらに、受信した応答信号に含まれるＩＤ情報と対象情報２０２ａとが一致するか否かを判断する（Ｓ３７）。
【００８２】
ＩＤ情報と対象情報２０２ａとが一致すると判断した場合（Ｓ３７でＹｅｓ）、判定部２１２は応答受信部２０４が受信した信号の強さ判定する（Ｓ３８）。
【００８３】
続けて、判定部２１２は、判定した受信信号の強さが第１の閾値以上であるか否かを判断する（Ｓ３９）。
【００８４】
ここで、「第１の閾値」とは、携帯電話機がユーザにより発見されたか否かを判断する基準である。
【００８５】
「第１の閾値」は、例えば、初期設定と同様に、接触した状態ないし数センチ程度の距離、例えば、５センチや１０センチで受信する信号の強さである。ユーザが携帯電話機１０を発見すると、携帯電話機１０を検知装置２０に近づけることが可能なため、このような第１の閾値を設定することで、判定部２１２はユーザが発見したが否かを確実に判断することができる。
【００８６】
受信した信号の強さが第１の閾値以上であると判断した場合（Ｓ３９でＹｅｓ）、通知制御部２０８は判定部２１２から通知の停止指示を受けて、通知部２１０によるユーザへの通知を停止させる（Ｓ４０）。
【００８７】
受信した信号の強さが第１の閾値より弱いと判断した場合（Ｓ３９でＮｏ）、通知制御部２０８は、判定部２１２により判定された受信信号の強さを受け、その強さに応じて通知部２１０によるユーザへの通知を変化させる（Ｓ４１）。
【００８８】
以上が、置き忘れや盗難等がされた携帯電話機１０をユーザが発見するまでの処理である。受信した信号の強さにより通知部２１０によるユーザへの通知を変更しまたは停止させることは、携帯電話機１０と検知装置２０との距離が近いほど、応答受信部２０４が受信する信号の強さが強くなることを利用している。
【００８９】
ここで、置忘れや盗難後の携帯電話機１０および検知装置２０の場所的関係と通知方法の変更の具体例について、図１１から図１５までを参照して説明する。
【００９０】
信号の強さは、例えば、上記の第１の閾値の他、第２の閾値を予め判定部２１２が保持することにより、「最も強い」場合と、「強い」場合と、「弱い」場合とに分類できる。
【００９１】
まず、「最も強い」場合とは、携帯電話機１０から受信した信号の強さが第１の閾値以上である場合である。このとき、判定部２１２は、ユーザが携帯電話機１０を発見したと判断し、上記のように、通知制御部２０８に通知部２１０の通知を停止させる（Ｓ４０）。
【００９２】
図１１は、携帯電話機１０の置き忘れや盗難を検知した後に、発見を検知した場合の、携帯電話機１０と検知装置２０との距離の関係を表す図である。
【００９３】
本図の点線は、検知対象である携帯電話機装置１０に近い順に、第１の閾値に対応する強さの応答信号を受信できる限界点を結ぶ円である「第１閾値境界」７０１の全部と、第２の閾値に対応する強さの応答信号を受信できる限界点を結ぶ円である「第２閾値境界」７０２の一部と、応答信号が受信可能な限界点を結ぶ円である「受信可能境界」７０３の一部とを表す。
【００９４】
これらの各境界線は、障害物等が存在しない理想的な環境では、携帯電話機１０を中心とする同心円である。しかしながら、各境界線が、障害物や他の電波との干渉など使用環境によって、様々な形状となることはもちろんである。
【００９５】
本図に示す検知装置２０の応答受信部２０２は、第１閾値境界７０１の内部にあるため、「最も強い」信号を受信する。
【００９６】
次に、「強い」場合とは、携帯電話機１０から受信した信号の強さが第２の閾値以上の強さであるが第１の閾値より弱い場合である。このとき、判定部２１２は、ユーザの近くに携帯電話機１０があると判断し、通知部２１０は、通信状態が「強い」信号を受信している状態であること、または携帯電話機１０との距離が「近い」ことをユーザに通知する。
【００９７】
図１２は、携帯電話機１０の置き忘れや盗難を検知してから発見を検知するまでに、強い応答信号を受信する場合の、携帯電話機１０と検知装置２０との距離の関係を表す図である。本図に示す検知装置２０の応答受信部２０２は、第２閾値境界７０２の内部、かつ、第１閾値境界７０１の外部にあるため、「強い」信号を受信する。
【００９８】
このときのユーザへの通知方法の一例について、図１３を参照して説明する。
図１３は、携帯電話機１０の置き忘れや盗難を検知してから発見を検知するまでに、強い応答信号を受信した場合の、検知装置２０の動作およびＬＣＤ２８上の表示の例を示す図である。
【００９９】
受信した応答信号の強さが「強い」という判定部２１２の判断結果を受けた通知制御部２０８は、ＬＣＤ２８に「携帯電話（ａａ００１）を近くに検知しました。」と表示させる。また、通知制御部２０８は、ＬＣＤ２６の発光、スピーカ３０の鳴動、および振動子３２の振動を継続させる。
【０１００】
さらに、「弱い」場合とは、携帯電話機１０からの信号を受信したがその強さが第２の閾値より弱い場合である。このとき、判定部２１２は、携帯電話機１０は未だユーザから「遠い」と判断し、通知部２１０は、通信状態が「弱い」信号を受信している状態であること、または携帯電話機１０との距離が「遠い」ことをユーザに通知する。
【０１０１】
図１４は、携帯電話機１０の置き忘れや盗難を検知してから発見を検知するまでに、弱い応答信号を受信した場合の、携帯電話機１０と検知装置２０との距離の関係を表す図である。本図に示す検知装置２０の応答受信部２０２は、受信可能境界７０３の内部、かつ、第２閾値境界７０２の外部にあるため、「弱い」信号を受信する。
【０１０２】
このときのユーザへの通知方法の一例について、図１５を参照して説明する。
図１５は、携帯電話機１０の置き忘れや盗難を検知してから発見を検知するまでに、弱い応答信号を受信した場合の、検知装置１０の動作およびＬＣＤ２８上の表示の例を示す図である。
【０１０３】
受信した応答信号の強さが「弱い」との判定部２１２の判断結果を受けた通知制御部２０８は、ＬＣＤ２８に「携帯電話（ａａ００１）を遠くに検知しました。」と表示させる。また、通知制御部２０８は、ＬＣＤ２６の発光、スピーカ３０の鳴動、および振動子３２の振動を継続させる。
【０１０４】
なお、ＬＣＤ２６の発光パターン、スピーカ３０の鳴動パターン、および振動子３２の振動パターンについて、携帯電話機１０から受信した信号の強さが、最も強い場合、強い場合、および弱い場合と、置き忘れや盗難を検知した直後とで、動作パターンを変化させてもよい。
【０１０５】
このように、検知装置２０が、携帯電話機１０とのおよそ距離をユーザに通知することは、ユーザの発見を容易にする。また、検知装置２０のこのような通知は、置き忘れや盗難後に、携帯電話機を探す、携帯電話機が提供するサービスを停止するなど、より適切なユーザの判断を支援することができる。
【０１０６】
ここから、図９の説明に戻る。
応答信号を受信していないと判断した場合（Ｓ３６でＮｏ）およびＩＤ情報と対象情報２０２ａとが一致しないと判断した場合（Ｓ３７でＮｏ）、すなわち、判定部２１２が携帯電話機１０の発見を検知しない場合、判定部２１２はユーザにより電源がＯＦＦにされたか否かを判断する（Ｓ４０）。電源がＯＦＦにされている場合（Ｓ４０でＹｅｓ）、検知装置２０はすべての処理を終了する。
【０１０７】
電源がＯＦＦにされていない場合（Ｓ４０でＮｏ）、判定部２１２は通知処理（Ｓ３４）に戻り、通知制御部２０８を介して通知部２１０によるユーザへ通知を継続させる。
【０１０８】
以上が、送受信処理（Ｓ３）において、本実施の形態に係る検知装置２０が実行する処理の詳細である。次に、図１６を参照して、送受信処理（Ｓ３）において、本実施の形態に係る携帯電話機１０が実行する処理の詳細を説明する。
【０１０９】
図１６は、本実施の形態に係る携帯電話機１０が送受信Ｓ３において実行する処理の詳細を示すフローチャートである。
【０１１０】
チップ制御部１１６は、要求受信部１１０が応答要求を受信したか否かを判断する（Ｓ５１）。応答要求を受信したと判断すると（Ｓ５１でＹｅｓ）、応答送信部１１２は、チップ制御部１１６からの応答送信指示を受けて、ＩＤ情報１０８ａを含む応答信号を送信し（Ｓ５２）、処理を終了する。
【０１１１】
要求受信部１１０が応答要求を受信する場合、携帯電話機１０は、携帯電話機１０が検知装置２０とともにユーザの手元にあり、置き忘れや盗難がないと判断して、以上の処理を継続する。
【０１１２】
また、要求受信部１１０が応答要求を受信していないと判断した場合（Ｓ５１でＮｏ）、チップ制御部１１６は決済部１１４の機能を停止させる（Ｓ５３）。
【０１１３】
これまで説明したように、携帯電話機１０と検知装置２０とは電波信号の送受信という連係動作により、携帯電話機１０の置き忘れや盗難を検知する。検知装置２０が置忘れや盗難を検知する場合には、携帯電話機１０と検知装置２０との間の信号の送受信に関して、２つの状態がある。各状態について図１７および図１８を参照して説明する。
【０１１４】
図１７は、検知装置２０が携帯電話機１０の置き忘れや盗難を検知する場合の、携帯電話機１０と検知装置２０との間の送受信の第１の状態を示す図である。
【０１１５】
本図は、検知装置２０からの要求信号が携帯電話機１０に到達しておらず、そのため、携帯電話機１０のチップ制御部１１６が、応答要求を受信していないと判断し（Ｓ５１でＮｏ）、応答送信指示の出力を実行しない状態を表す。
【０１１６】
図１８は、検知装置２０が携帯電話機１０の置き忘れや盗難を検知する場合の、携帯電話機１０と検知装置２０との間の送受信の第２の状態を示す図である。
【０１１７】
本図は、検知装置２０からの要求信号が携帯電話機１０に到達し、それに応じて、携帯電話機１０の応答送信部１１２が応答信号を送信したが（Ｓ５２）、その応答信号が検知装置２０に到達していない状態を表す。
【０１１８】
図１７および図１８に示す、検知装置２０が応答信号を受信できない状態は、携帯電話機１０が検知装置２０から離れることや、携帯電話機１０と検知装置２０との間に電波の伝達を阻害する障害物が介在すること等により生じる。これらは、一般に、携帯電話機１０がユーザの管理が及ばなくなったことが原因であり、例えば、置き忘れがあり、または盗まれた可能性が高い。従って、検知装置２０は、応答信号を受信できないことにより、置き忘れや盗難を検知できる。
【０１１９】
このように、要求信号を受信できないときに置き忘れや盗難を検知し、携帯電話機１０の決済機能を停止する。これにより、置き忘れた携帯電話を拾得した者や盗んだ者がＩＣカードを利用して提供される決済サービスを受けることができなくなり、ＩＣカードの悪用によるユーザの被害を抑えることが可能となる。
【０１２０】
ここから、図１６の説明に戻る。
決済部１１４の機能停止（Ｓ５３）に続けて、要求受信部１１０は、要求受信部１１０が応答要求を受信したか否かを判断する（Ｓ５４）。
【０１２１】
要求受信部１１０が応答要求を受信していないと判断した場合（Ｓ５４でＮｏ）、チップ制御部１１６は決済部１１４の機能の停止（Ｓ５３）以降の処理を継続する。
【０１２２】
また、要求受信部１１０が応答要求を受信したと判断した場合（Ｓ５４でＹｅｓ）、応答送信部１１２は、チップ制御部１１６からの応答送信指示を受けて、ＩＤ情報１０８ａを含む応答信号を送信する（Ｓ５５）。続けて、チップ制御部１１６は、要求受信部１１０が受信した要求信号の強さを判定し（Ｓ５６）、要求信号の強さが第３の閾値以上であるか否かを判断する（Ｓ５７）。
【０１２３】
ここで、第３の閾値は、携帯電話機がユーザにより発見されたか否かを判断する基準であり、例えば、検知装置２０が接触ないし数センチ程度の距離にある状態で受信する信号の強さである。第３の閾値は、携帯電話機１０のチップ制御部１１６が予め保持する。
【０１２４】
携帯電話機１０が受信する要求信号の強さは要求信号を送信している検知装置２０との距離に依存するため、検知装置２０が接触ないし数センチ程度の距離にある状態で受信する信号の強さは極めて強い。
【０１２５】
ユーザが携帯電話機を発見すると検知装置に近づけることが可能なため、このように第３の閾値を設定することで、携帯電話機１０はユーザにより発見されたが否かを確実に判断することができる。
【０１２６】
要求信号の強さが第３の閾値より弱いと判断した場合（Ｓ５７でＮｏ）、チップ制御部１１６は決済部１１４の機能の停止（Ｓ５３）以降の処理を継続する。
【０１２７】
要求信号の強さが第３の閾値以上の強さであると判断した場合（Ｓ５７でＹｅｓ）、チップ制御部１１６は決済機能の停止を解除し（Ｓ５８）、処理を終了する。
【０１２８】
このように、受信した要求信号の強さが第３の閾値以上の強さである場合、携帯電話機１０端末は、正当なユーザの手元に戻ったと判断して、決済機能の停止を解除する。ＩＣカードの提供するサービスをユーザが利用できる状態に復帰させた携帯電話機１０は、応答要求の受信判断（Ｓ５１）以下の処理を継続する。
【０１２９】
ここで、ＩＣカードが提供するサービスが利用できる状態への復帰は、ユーザが携帯電話機１０を確実に発見したときのみになされる必要がある。すなわち、携帯電話機１０が検知装置２０の近くにあるものの、ユーザが発見していない場合に復帰させることは、好ましくない。
【０１３０】
そこで、上記のような第３の閾値を設けることにより、ユーザが携帯電話機１０を発見した場合にのみ、ＩＣカードの提供するサービスをユーザが利用できる状態に復帰させることを、確実にすることが可能となる。
【０１３１】
また、このように携帯電話機１０を発見したユーザには、携帯電話機１０と検知装置２０とを接触ないし近接させるという簡単な操作が要求されるだけであり、ユーザはその他の煩わしい操作をすることなくＩＣカードの提供するサービスを利用することができる。そのため、携帯電話機１０を発見したときのユーザの利便性は向上する。
【０１３２】
以上、本発明の実施の形態に係る携帯電話機１０および検知装置２０について説明したが、本発明はこの実施の形態に限定されるものではない。
【０１３３】
１台の検知装置が複数台の携帯電話機の置忘れや盗難を検知してもよい。
図１９は、一変形例に係る検知装置３０および携帯電話機１０、４０の機能的構成を示す図である。２台の携帯電話機１０、４０のうち、いずれか１つでも置き忘れた場合または盗難された場合、検知装置３０はそれを検知し、ユーザに通知する。
【０１３４】
図１９に示す携帯電話機１０および４０は、図２に示す携帯電話機１０と同一の機能を備えており、同一の機能を有する部位にはそれぞれ同一の参照符号を付している。図１４に示す一方の携帯電話機４０と図２に示す携帯電話機１０との違いは、ＩＣチップ１０２、１０４が備えるＩＤ記憶部１０８、４０８が保持しているＩＤ情報１０８ａ、４０８ａである。
【０１３５】
図２０は、ＩＤ記憶部４０８が記憶しているＩＤ情報４０８ａの例を示す図である。本図に例示される、携帯電話機４０に搭載されたＩＣチップ４０２のＩＤ記憶部４０８が保持するＩＤ情報４０８ａは、「ｂｂ００２」である。
【０１３６】
図１９に示す検知装置３０は、図２に示す検知装置２０と同一の機能を備えており、同一の機能を有する部位にはそれぞれ同一の参照符号を付している。図１９に示す検知装置３０と図２に示す検知装置２０との違いは、対象記憶部２０２、３０２が記憶している対象情報２０２ａ、３０２ａである。
【０１３７】
図２１は、対象記憶部３０２が記憶している対象情報３０２ａの他の例を示す図である。本図に例示される対象情報３０２ａは、検知の対象として設定された各携帯電話機１０、４０に付与される「管理番号」と、検知対象として設定された各携帯電話機１０、４０に搭載されているＩＣチップ１０２、１０４の「ＩＤ情報」とから構成される。
【０１３８】
本図は、例えば、携帯電話機１０に付与された「管理番号」は「１」であることを表す。また本図は、例えば、「管理番号」の「１」に対応付けて、携帯電話機１０に搭載されたＩＣチップ１０２のＩＤ情報１０２ａである「ａａ００１」が格納されていることを表す。
【０１３９】
初期設定において、検知装置３０は図７に示す処理を各携帯電話機１０、４０について実行し、また、携帯電話機１０、４０は図８に示す処理を実行する。
【０１４０】
また、送受信処理において、検知装置３０は、図９に示す処理を、検知対象として設定された各携帯電話機１０、４０について実行し、また各携帯電話機１０、４０は図１６に示す処理を実行する。
【０１４１】
これらの処理を実行するで、１台の検知装置３０が２台の携帯電話機１０、４０の置き忘れや盗難を検知することができる。
【０１４２】
なお、１台の検知装置が３台以上の携帯電話機の置き忘れや盗難を検知することも、検知装置および検知対象となる各携帯電話機が、各携帯電話機に搭載されたＩＣカードのＩＤ情報を検知装置が備える対象記憶部に格納する初期設定を実行することと、検知装置が、各携帯電話機について図９に示す処理を実行することと、各携帯電話機が図１６に示す処理を実行することとにより、実現できる。
【０１４３】
なお、携帯電話機１０と検知装置２０との大きさの関係は、図１、図２、図１９等に示す関係に限られない。また、検知装置２０の形状は、図１、図２、図１９等に示す形状に限られない。
【０１４４】
検知装置２０の大きさは、ユーザの携帯に適した大きさであることが好ましい。例えば、鞄に入れられる程度の大きさの装置であり、財布に収められる程度の大きさのカード状の装置であり、時計のバンドに装着できる程度の大きさのブロック状、円柱状または円盤状の装置である。また、時計など人が通常、身に付けているものの内部に搭載されてもよい。
【０１４５】
また、検知装置が、携帯電話機の置忘れや盗難を検地した後、携帯電話機からの信号を受信した場合に、実施の形態では、判定部２１２が第２の閾値を保持し、受信信号が「強い」か「弱い」かを判断したが、第２の閾値を保持することなく、判定部２１２が受信信号の強さを連続的に判断しても構わない。
【０１４６】
受信信号の強さの連続的な判断とは、例えば、受信信号を受信できない場合を「０」、第１の閾値に該当する受信信号の強さを「１００」として、その間の受信信号の強さを０から１００までの数値に換算することなどである。
【０１４７】
そして、この場合、通知制御部２０８は判定部２１２が判定した受信信号の強さに応じて、通知部２１０による通知方法を、実施の形態のように段階的に変化させるだけでなく、連続的に変化させても構わない。
【０１４８】
通知方法を連続的に変化させる方法には、例えば、ＬＥＤ２６の点滅周期や、ＬＣＤ２８上の受信信号の強さの数値表示や棒グラフなどによる画像表示や、スピーカ３０の音量やスピーカ３０から発せられるブザーの周期や、振動子３２の振動周期などを連続的に変える方法がある。
【産業上の利用可能性】
【０１４９】
本発明は、ＩＣカードを搭載した携帯電話機を検知する装置に適用でき、特にＩＣカードを搭載した携帯電話機の置き忘れや盗難等を防止する装置等に適用できる。
【図面の簡単な説明】
【０１５０】
【図１】本実施の形態に係る携帯電話機検知システムの外観を示す図である。
【図２】本実施の形態に係る携帯電話機検知装置および携帯電話機の機能的構成を示す図である。
【図３】ＩＤ記憶部が記憶しているＩＤ情報の例を示す図である。
【図４】対象記憶部が記憶している対象情報の例を示す図である。
【図５】本実施の形態に係る携帯電話機検知装置および携帯電話機が実行する処理のフローチャートである。
【図６】本実施の携帯に係る携帯電話機および携帯電話機検知装置が実行する初期設定処理Ｓ２のタイムチャートである。
【図７】本実施の形態に係る携帯電話機検知装置が初期設定Ｓ２において実行する処理の詳細を示すフローチャートである。
【図８】本実施の形態に係る携帯電話機が初期設定Ｓ２において実行する処理の詳細を示すフローチャートである。
【図９】本実施の形態に係る携帯電話機検知装置が送受信Ｓ３において実行する処理の詳細を示すフローチャートである。
【図１０】携帯電話機の置き忘れや盗難を検知した場合の、検知装置の動作およびＬＣＤ上の表示の例を示す図である。
【図１１】携帯電話機の置き忘れや盗難を検知した後に、発見を検知した場合の、携帯電話機と検知装置との距離の関係を表す図である。
【図１２】携帯電話機の置き忘れや盗難を検知してから発見を検知するまでに、強い応答信号を受信した場合の、携帯電話機と検知装置との距離の関係を表す図である。
【図１３】携帯電話機の置き忘れや盗難を検知してから発見を検知するまでに、強い応答信号を受信した場合の、検知装置の動作およびＬＣＤ上の表示の例を示す図である。
【図１４】携帯電話機の置き忘れや盗難を検知してから発見を検知するまでに、弱い応答信号を受信した場合の、携帯電話機と検知装置との距離の関係を表す図である。
【図１５】携帯電話機の置き忘れや盗難を検知してから発見を検知するまでに、弱い応答信号を受信した場合の、検知装置の動作およびＬＣＤ上の表示の例を示す図である。
【図１６】本実施の形態に係る携帯電話機が送受信Ｓ３において実行する処理の詳細を示すフローチャートである。
【図１７】検知装置が携帯電話機の置き忘れや盗難を検知する場合の、携帯電話機と検知装置との間の送受信の第１の状態を示す図である。
【図１８】検知装置２０が携帯電話機１０の置き忘れや盗難を検知する場合の、携帯電話機１０と検知装置２０との間の送受信の第２の状態を示す図である。
【図１９】一変形例に係る携帯電話機検知装置および携帯電話機の機能的構成を示す図である。
【図２０】ＩＤ記憶部が記憶しているＩＤ情報の他の例を示す図である。
【図２１】対象記憶部が記憶している対象情報の他の例を示す図である。
【符号の説明】
【０１５１】
１０  携帯電話機
２０  検知装置
２２  電源ボタン
２４  リセットボタン
２６  ＬＣＤ
２８  ＬＥＤ
３０  スピーカ
３２  振動子
１０２、４０２  ＩＣチップ
１０３、４０３  アンテナ
１０４、４０４  電話機通信部
１０６  電話機制御部
１０８  ＩＤ記憶部
１１０  要求受信部
１１２  応答送信部
１１４  決済部
１１６  チップ制御部
２０２  対象記憶部
２０４  応答受信部
２０６  要求送信部
２０８  通知制御部
２１０  通知部
２１２  判定部
【図１】
2007214697.tif 000003
【図２】
2007214697.tif 000004
【図３】
2007214697.tif 000005
【図４】
2007214697.tif 000006
【図５】
2007214697.tif 000007
【図６】
2007214697.tif 000008
【図７】
2007214697.tif 000009
【図８】
2007214697.tif 000010
【図９】
2007214697.tif 000011
【図１０】
2007214697.tif 000012
【図１１】
2007214697.tif 000013
【図１２】
2007214697.tif 000014
【図１３】
2007214697.tif 000015
【図１４】
2007214697.tif 000016
【図１５】
2007214697.tif 000017
【図１６】
2007214697.tif 000018
【図１７】
2007214697.tif 000019
【図１８】
2007214697.tif 000020
【図１９】
2007214697.tif 000021
【図２０】
2007214697.tif 000022
【図２１】
2007214697.tif 000023